【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
2種の異なる化学組成物のみを使用する、1つまたは複数の組織標本の組織処理装置であって、以下を含む、装置：
(a)(i)加熱された第一反応室と、(ii)固定、脱水、および清浄機能から成る非水性混合物であって、任意で、第一反応室内に収められている非水性混合物、を含む第一モジュール；
(b)(i)加熱され、真空ポンプと連結された第二反応室と、(ii)任意で、第二反応室内に収められているワックス溶液、を含む第二モジュール；および、
(c)任意で含まれる、組織標本を少なくとも第一モジュールから第二モジュールへ移動させる輸送機関（conveyance）。
【請求項２】
第一反応室が、ささやきの回廊を含む内部形状を含み、第一モジュールが、(iii)第一反応室を隔離するようになっている閉鎖、(iv)第一反応室を取り囲む断熱材、および(v)ささやきの回廊に伝搬されるマイクロ波の源をさらに含む、請求項1記載の組織処理装置。
【請求項３】
組織標本を、非水性混合物、マイクロ波の放射、またはそれらの両方によって実質的に硬化させる請求項2記載の組織処理装置。
【請求項４】
第一モジュールが、第一反応室内に、非水性混合物と組織標本との間の化学的交換を促進する撹拌装置を含む、請求項1記載の組織処理装置。
【請求項５】
非水性混合物が、約55℃超および／または約75℃未満である、請求項1記載の組織処理装置。
【請求項６】
非水性混合物が、固定剤と脱水剤を、容積比約1:6超および／または約6:1未満で含む請求項1記載の組織処理装置。
【請求項７】
非水性混合物が、約20%(v／v)超の固定剤および／または約60%(v／v)未満の固定剤を含む、請求項1記載の組織処理装置。
【請求項８】
非水性混合物が、約20%(v／v)超の脱水剤および／または約60%(v／v)未満の脱水剤を含む、請求項1記載の組織処理装置。
【請求項９】
非水性混合物が、約10%(v／v)超のクリアラントおよび／または約30%(v／v)未満のクリアラントを含む、請求項1記載の組織処理装置。
【請求項１０】
非水性混合物が、界面活性剤をさらに含む、請求項1記載の組織処理装置。
【請求項１１】
非水性混合物が、少なくとも1種のケトンである固定剤および少なくとも1種のアルコールである脱水剤を含む、請求項1記載の組織処理装置。
【請求項１２】
非水性混合物が、鉱油であるクリアラントを含む、請求項1記載の組織処理装置。
【請求項１３】
非水性混合物が、ジメチルスルホキシド(DMSO)をさらに含む、請求項1記載の組織処理装置。
【請求項１４】
非水性混合物が、約15%(v／v)から約35%(v／v)のアセトンと、約45%(v／v)から約65%(v／v)のイソプロピルアルコールと、約10%(v／v)から約25%(v／v)の鉱油とを含む、請求項1記載の組織処理装置。
【請求項１５】
非水性混合物が、約40%から約60%(v／v)のアセトンと、約25%から約35%(v／v)のイソプロパロールと、約10%(v／v)から約25%(v／v)の鉱油とを含む、請求項1記載の組織処理装置。
【請求項１６】
第一モジュールが、第一反応室に連結された保持室をさらに含み、非水性混合物が、組織標本の第一モジュール装填後に、第一反応室に移動し、組織標本の第二モジュール輸送前に、保持室に移され、非水性混合物を、保持室滞留中に任意で加熱する、請求項1記載の組織処理装置。
【請求項１７】
組織標本が、第一モジュールに約15分以下滞留した後、実質的に硬化しているように設定された、請求項1記載の組織処理装置。
【請求項１８】
組織標本が、第一モジュールに約30分以下滞留した後、実質的に硬化しているように設定された、請求項1記載の組織処理装置。
【請求項１９】
組織標本が、第一モジュールに約45分以下滞留した後、実質的に硬化しているように設定された、請求項1記載の組織処理装置。
【請求項２０】
第二モジュールが、(iii)第二反応室を隔離するようになっている閉鎖、(iv)第二反応室を取り囲む断熱材、および(v)第二反応室中で、ワックスを溶融状態に保つヒーターをさらに含む、請求項1記載の組織処理装置。
【請求項２１】
第二反応室内の圧力が、約100トル超および／または約760トル未満である、請求項1記載の組織処理装置。
【請求項２２】
第二反応室内の圧力を、真空ポンプによって周期的に変化させる、請求項1記載の組織処理装置。
【請求項２３】
ワックス溶液が、約55℃超および／または約85℃未満である、請求項1記載の組織処理装置。
【請求項２４】
ワックス溶液が、脱気および脱水されている、請求項1記載の組織処理装置。
【請求項２５】
ワックス溶液が、約30℃未満で固体状であるパラフィンから製造されたものである請求項1記載の組織処理装置。
【請求項２６】
第二モジュールが、第二反応室に連結された加熱室をさらに含み、固形ワックスを任意で加熱室内で溶融し、組織標本を第二モジュールに輸送する前に、ワックス溶液を加熱室から第二反応室に移す、請求項1記載の組織処理装置。
【請求項２７】
組織標本が、第二モジュールに約15分以下滞留した後、実質的に含浸しているように設定された、請求項1記載の組織処理装置。
【請求項２８】
組織標本が、第二モジュールに約30分以下滞留した後、実質的に含浸しているように設定された、請求項1記載の組織処理装置。
【請求項２９】
組織標本が、第二モジュールに約45分以下滞留した後、実質的に含浸しているように設定された、請求項1記載の組織処理装置。
【請求項３０】
輸送機関が、第一モジュールと第二モジュールとを連結するトラックを含む、請求項1記載の組織処理装置。
【請求項３１】
輸送機関が、第一モジュールと第二モジュールとを連結するアームを含む、請求項1記載の組織処理装置。
【請求項３２】
化学的交換を可能にする複数の組織担体をさらに含み、各組織標本が、複数の担体の一つに収納されており、各組織担体が輸送機関に可逆的にに固定されているので、組織標本のバッチを連続的に処理できる、請求項1記載の組織処理装置。
【請求項３３】
装填ステーションをさらに含み、該装填ステーションで、非含浸組織標本が組織処理装置に入り、次に第一モジュールへと輸送される、請求項1記載の組織処理装置。
【請求項３４】
取外しステーションをさらに含み、含浸組織標本は、第二モジュールから該取外しステーションに輸送され、次に組織処理装置から出るまで任意で集められる、請求項1記載の組織処理装置。
【請求項３５】
以下を含む、互いに異なる2種の化学組成物のみを使用し、1つまたは複数の組織標本の組織を組織処理するための方法：
(a)まず、組織標本を、(i)固定、(ii)脱水、(iii)清浄の機能を含み、加熱された非水性混合物に含浸させる段階；次に、
(b)組織標本に、加熱されたワックス溶液を、大気圧未満の圧力にて実質的に含浸させる段階。
【請求項３６】
組織標本の厚さが、約3mm以下である、請求項35記載の組織処理方法。
【請求項３７】
組織標本を手作業で処理する、請求項35記載の組織処理方法。
【請求項３８】
組織標本を機械的に処理する、請求項35記載の組織処理方法。
【請求項３９】
組織標本を、アルデヒドを使用せずに処理する、請求項35記載の組織処理方法。
【請求項４０】
組織標本を、キシレンを使用せずに処理する、請求項35記載の組織処理方法。
【請求項４１】
組織標本が、処理される前に固定されていない、請求項35記載の組織処理方法。
【請求項４２】
組織標本が、処理される前に、ホルムアルデヒド中で固定されていない、請求項35記載の組織処理方法。
【請求項４３】
組織標本が、処理される前に、メタノールおよびポリエチレングリコール(PEG)中に保存されていない、請求項35記載の組織処理方法。
【請求項４４】
(a)のために、組織標本を、マイクロ波レトルトで処理する、請求項35記載の組織処理方法。
【請求項４５】
組織標本を、非水性混合物、マイクロ波ユニットによる照射、または両方によって実質的に硬化させる、請求項44記載の組織処理方法。
【請求項４６】
非水性混合物と組織標本との間の化学的交換を促進するための撹拌をさらに含む、請求項35記載の組織処理方法。
【請求項４７】
非水性混合物が、約55℃超および／または約75℃未満である請求項35記載の組織処理方法。
【請求項４８】
非水性混合物が、固定剤と脱水剤を、容積比で約1:6超および／または約6:1未満で含む、請求項35記載の組織処理方法。
【請求項４９】
固定剤が、非水性混合物の約20%(v／v)超および／または約60%(v／v)未満である、請求項35記載の組織処理方法。
【請求項５０】
脱水剤が、非水性混合物の約20%(v／v)超および／または約60%(v／v)未満である、請求項35記載の組織処理方法。
【請求項５１】
クリアラントが、非水性混合物の約10%(v／v)超および／または約30%(v／v)未満である、請求項35記載の組織処理方法。
【請求項５２】
非水性混合物が、界面活性剤をさらに含む、請求項35記載の組織処理方法。
【請求項５３】
非水性混合物が、少なくとも1種のケトンである固定剤および少なくとも1種のアルコールである脱水剤を含む、請求項35記載の組織処理方法。
【請求項５４】
非水性混合物が、鉱油であるクリアラントを含む、請求項35記載の組織処理方法。
【請求項５５】
非水性混合物が、ジメチルスルホキシド(DMSO)をさらに含む、請求項35記載の組織処理方法。
【請求項５６】
非水性混合物が、約15%(v／v)から約35%(v／v)のアセトンと、約45%(v／v)から約65%(v／v)のイソプロピルアルコールと、約10%(v／v)から約25%(v／v)の鉱油とを含む、請求項35記載の組織処理方法。
【請求項５７】
非水性混合物が、約40%から約60%(v／v)のアセトンと、約25%から約35%(v／v)のイソプロパロールと、約10%(v／v)から約25%(v／v)の鉱油とを含む、請求項35記載の組織処理方法。
【請求項５８】
組織標本が、非水性混合物中で約15分以下インキュベートした後、実質的に硬化している、請求項35記載の組織処理方法。
【請求項５９】
組織標本が、非水性混合物中で約30分以下インキュベートした後、実質的に硬化している、請求項35記載の組織処理方法。
【請求項６０】
組織標本が、非水性混合物中で約45分以下インキュベートした後、実質的に硬化している、請求項35記載の組織処理方法。
【請求項６１】
(b)のために、組織標本を、真空レトルトで処理する、請求項35記載の組織処理方法。
【請求項６２】
組織標本を、約100トル超および／または約760トル未満の圧力で実質的に含浸させる、請求項61記載の組織処理方法。
【請求項６３】
ワックス溶液が、約55℃超および／または約85℃未満である、請求項35記載の組織処理方法。
【請求項６４】
ワックス溶液が、脱気および脱水されている、請求項35記載の組織処理方法。
【請求項６５】
ワックス溶液が、約30℃未満では固体であるパラフィンから製造されたものである、請求項35記載の組織処理方法。
【請求項６６】
組織標本を、ワックス溶液中で約15分未満インキュベートし、冷却した後は切断することが可能である、請求項35記載の組織処理方法。
【請求項６７】
組織標本を、ワックス溶液中で約30分未満インキュベートし、冷却した後は切断することが可能である、請求項35記載の組織処理方法。
【請求項６８】
組織標本を、ワックス溶液中で約45分未満インキュベートし、冷却した後は切断することが可能である、請求項35記載の組織処理方法。
【請求項６９】
請求項1から34(または、その任意の組合せ)の装置、および／または請求項35から68(または、その任意の組合せ)の方法で処理された組織標本または組織切片。